(57)【要約】【課題】  １本の線材の一端部や他端部を固定側支持部材の配線基板や可動側レンズホルダーの端子板に半田付けして固定するときの作業性を向上させ、併せて、個々の線材の位置精度の低下やその位置精度のばらつきが生じることを防ぐ。【解決手段】  固定側支持部材２に一端部６１を固定した弾性を有する導電性線材６の他端部６２を、対物レンズ３１などを有する可動側レンズホルダー３に固定したレンズユニット１を備える光ピックアップにおいて、線材６の一端部６１を固定側支持部材２の側面の配線基板４Ａに半田付けすることによって固定側支持部材２に固定し、その線材６の他端部６２を可動側レンズホルダー３の側面の端子板５に半田付けすることによって可動側レンズホルダー３に固定する。【選択図】        図１
2005251296.tif 000002
【特許請求の範囲】
【請求項１】
中継線が接続される配線基板を備えた固定側支持部材に一端部が固定された弾性を有する導電性線材の他端部が、対物レンズとコイルとそのコイルの端子板とを有する可動側レンズホルダーに固定されてなるレンズユニットを備え、上記線材を介し上記コイルに通電することにより上記レンズホルダーが線材の撓み変形を伴って変位駆動されるようになっている光ピックアップにおいて、
平行に配備された複数本の上記線材のそれぞれの一端部が固定側支持部材の側面に起立姿勢で配備されている１片の上記配線基板に半田付けされることによって上記固定側支持部材に固定され、それらの上記線材のそれぞれの他端部が可動側レンズホルダーの側面に起立姿勢で配備されている１片の上記端子板に半田付けされることによって上記可動側レンズホルダーに固定され、
複数本の上記線材と、それらの線材の一端部が半田付けされた上記配線基板と、それらの線材の他端部が半田付けされた上記端子板とが、上記レンズユニットの縦軸線を挟む両側に対称に配備されていると共に、上記レンズユニットの同一の側面側に位置している各線材の一端部又は他端部の上記配線基板又は上記端子板との各半田付け箇所が、上記レンズユニットの同一の側面側でそれらに共通する仮想平面上に位置しており、
上記レンズユニットの縦軸線を挟む両側に対称に配備されている上記配線基板、又は、上記線材の一端部の半田付け箇所から後方へ延び出た突出部が、上記中継線としてのフレキシブル配線基板の端部に接続されることによってそのフレキシブル配線基板の端部が上記固定側支持部材の後端面に重ね合わされていることを特徴とする光ピックアップ。
【請求項２】
中継線が接続される配線基板を備えた固定側支持部材に一端部が固定された弾性を有する導電性線材の他端部が、対物レンズとコイルとそのコイルの端子板とを有する可動側レンズホルダーに固定されてなるレンズユニットを備え、上記線材を介し上記コイルに通電することにより上記レンズホルダーが線材の撓み変形を伴って変位駆動されるようになっている光ピックアップにおいて、
上記線材の一端部が上記配線基板に半田付けされることによって上記固定側支持部材に固定され、上記線材の他端部が上記端子板に半田付けされることによって上記可動側レンズホルダーに固定されていて、上記線材の一端部と上記配線基板との半田付け箇所と、上記線材の他端部と上記端子板との半田付け箇所とが、上記レンズユニットの同一の側面側に位置していることを特徴とする光ピックアップ。
【請求項３】
上記線材の一端部と上記配線基板との半田付け箇所と、上記線材の他端部と上記端子板との半田付け箇所とが、それらに共通する仮想平面上に位置している請求項２に記載した光ピックアップ。
【請求項４】
上記端子板が可動側レンズホルダーの側面に起立姿勢で配備され、上記配線基板が固定側支持部材の側面に起立姿勢で配備されている請求項２又は請求項３に記載した光ピックアップ。
【請求項５】
上記線材と、その線材の一端部が半田付けされた上記配線基板と、その線材の他端部が半田付けされた上記端子板とが、上記レンズユニットの縦軸線を挟む両側に対称に配備されている請求項２ないし請求項４のいずれか１項に記載した光ピックアップ。
【請求項６】
上記レンズユニットの縦軸線を挟む両側に対称に配備されている上記配線基板が、上記中継線としてのフレキシブル配線基板の端部に接続されることによってそのフレキシブル配線基板の端部が上記固定側支持部材の後端面に重ね合わされている請求項５に記載した光ピックアップ。
【請求項７】
上記線材の一端部の半田付け箇所から後方へ延び出た突出部が、上記中継線としてのフレキシブル配線基板の端部に接続されることによってそのフレキシブル配線基板の端部が上記固定側支持部材の後端面に重ね合わされている請求項５に記載した光ピックアップ。
【発明の詳細な説明】
【技術分野】
【０００１】
本発明は、光ディスクドライブに搭載される光ピックアップ、詳しくは、固定側支持部材から延び出た弾性を有する導電性線材によって、対物レンズを備える可動側レンズホルダーが片持ち状態で変位可能に支持されているレンズユニットを備えた光ピックアップに関する。
【背景技術】
【０００２】
光ディスクドライブに搭載される光ピックアップは、レーザ光を記録媒体としてのディスク面に集光させてデータの書込みや読取りを行うことに用いられ、ディスクの回転中の面振れや偏心に応じて対物レンズの位置をフォーカス方向又はトラッキング方向に調整する機能を備えている。
【０００３】
図６には従来の光ピックアップに採用されているレンズユニット１を概略で示してある。同図のレンズユニット１は、ディスクの半径方向に走行駆動される基台（不図示）に搭載されるものであって、その基台に固定される固定側支持部材２と、対物レンズ３１を備える可動側レンズホルダー３と、固定側支持部材２の後端面に起立姿勢で固着された１片の配線基板４と、可動側レンズホルダー３の左右の両側面のそれぞれに起立姿勢で固着された配線基板でなる１片ずつの端子板５，５と、レンズユニット１の左右両側に同一本数ずつ配備された弾性を有する導電性線材６…とを備えているほか、可動側レンズホルダー３には、フォーカス方向Ｆ又はトラッキング方向Ｔの付勢力を発揮させるための複数のコイル（不図示）などが装備されていて、上記端子板５のパターンにはそれらのコイルの末端が接続されている。また、上記した複数本の線材６…と端子板５とは、レンズユニット１の縦軸線Ｃ−Ｃを挟む左右両側に対称に配備されていて、線材６は図例のように片側２本の場合や、図示していないけれども片側３本の場合などがある。そして、線材６の一端部６１が配線基板４のランドに半田付けされて固定され、その他端部６２が端子板５のランドに半田付けされて固定されていることによって、可動側レンズホルダー３が複数本の線材６…を介して固定側支持部材２に対して変位可能に片持ち状に支持されている。
【０００４】
図６のレンズユニット１において、配線基板４のパターンに接続した中継線７に電流を流すと、配線基板４、線材６、端子板５を経て上記コイルに通電され、そのコイルがフォーカス方向又はトラッキング方向の付勢力を発揮して可動側レンズホルダー５が対物レンズ３１と共にフォーカス方向Ｆ又はトラッキング方向Ｔに変位駆動される。
【０００５】
図７は、図６のレンズユニット１において、可動側レンズホルダー３を固定側支持部材２に線材６で支持させる工程を示した説明図である。この工程では、治具１００に固定側支持部材２と可動側レンズホルダー３とを位置決めして固定した後、長い線材６を、治具１００の前後の支持孔１１０，１２０と、配線基板４に備わっている孔部（不図示）と、固定側支持部材２に備わっている空所２１とに挿通させて上記支持孔１１０，１２０によって支持させ、しかも、その線材６を端子板５に沿って配備し、その状態で、配線基板４のランドに線材６の一端部６１を半田付けして固定することと、端子板５のランドに線材６の他端部６２を半田付けして固定することとが行われる。すなわち、この工程では、線材６の一端部６１が線材６の長手方向に対して垂直な配線基板４のランドに半田付けされ、線材６の他端部６２が線材６の長手方向に対して平行な端子板５のランドに半田付けされるので、線材の一端部６１を半田付けするときの作業方向ａ（図６参照）と他端部６２を半田付けするときの作業方向ｂ（図６参照）とが異なっている。なお、４１，５１は半田を示している。
【０００６】
一方、光ピックアップにおいて、図６で説明した弾性を有する導電性線材に相当する部材を用いる従来例が種々提案されている（特許文献１〜５参照）。
【０００７】
このうち、特許文献１のものは、上記線材に相当するワイヤを固定部とレンズホルダーの配線基板とに固定する場合に、ワイヤを、互いに直交している固定部側の半田付け面と配線基板側の半田付け面とに半田付けするというものである。特許文献２にも略同様のものが開示されている。
【０００８】
特許文献３には、固定部材とレンズホルダーとをロ字型の板ばねで連結し、その板ばねの２つの辺を形成している弾性部材にコイルの端部を接続するという技術が開示されている。また、特許文献４には、ワイヤ部材をコイルボビンに接合した端子にからげて接続する技術が開示されている。さらに、特許文献５には、ワイヤバネの一端側の拡大部を支持部材の溝に嵌め込んで位置決めし、そのワイヤバネの他端側の拡大部にコイルを接続する技術が開示されている。
【特許文献１】実用新案登録第３０９５４４８号公報
【特許文献２】特公平８−１６９８５号公報
【特許文献３】特開平５−３４２６０６号公報
【特許文献４】特開平１１−２７３１０７号公報
【特許文献５】特開平１１−１６７７３４号公報
【発明の開示】
【発明が解決しようとする課題】
【０００９】
ところで、光ピックアップに用いられるレンズユニット１において、可動側レンズホルダー３を支えている複数本の線材６…の個々の位置精度の良否は、可動側レンズホルダー３の動作性能の良否に顕著な影響を及ぼす。たとえば、配線基板４と端子板５の各ランドに半田付けされている線材６が許容範囲を越えて位置ずれしていると、線材６によるバネ定数がレンズユニット１の縦軸線Ｃ−Ｃを挟む両側で非対称となり、可動側レンズホルダー３が、フォーカス方向Ｆ又はトラッキング方向Ｔに変位するときに平行移動とともにレンズユニット１の縦軸線Ｃ−Ｃのまわりの傾きを生じて、ディスクと対物レンズ３１の光軸との相対角度がずれることによって、光ピックアップによるデータの読取り性能や書込み性能が低下するという事態が起こり得る。
【００１０】
一方、図６のレンズユニット１では、既述のように、線材６の一端部６１が線材６の長手方向に対して垂直な配線基板４のランドに半田付けされ、線材６の他端部６２が線材６の長手方向に対して平行な端子板５のランドに半田付けされるので、線材の一端部６１を半田付けするときの作業方向ａと他端部６２を半田付けするときの作業方向ｂとが必然的に異なる。そのため、図７で説明した治具１００を用いて可動側レンズホルダー３を固定側支持部材２に線材６で支持させる工程では、治具１００を定位置に位置決めしたまま動かさずに作業を行うと、作業者が１本の線材６の一端部６１を配線基板４に半田付けするときの作業姿勢と、その作業者が他端部６２を端子板５に半田付けするときの作業姿勢とがどうしても異なり、そのために作業性が低下したり半田付け箇所の接合信頼性が低下したりするおそれがある。
【００１１】
そこで、一般的には、治具１００を動かして半田付け箇所が作業者の正面に位置するようにした状態で半田付け作業が行われる。しかし、そのようにすると、半田付け作業自体の作業性や半田付け箇所の接合信頼性は改善されるものの、治具１００を動かしたときに、治具１００の前後の支持孔１１０，１２０に載架されて支持されているだけの線材６と固定側支持部材２又は可動側レンズホルダー３との位置関係が変動し、そのことが原因の１つになって線材６が位置ずれしたまま配線基板４と端子板５の各ランドに半田されてしまうという事態が起こり、線材６に要求される位置精度が得られなくなったり、線材６の位置精度のばらつきが生じやすくなったりするという問題があった。
【００１２】
この問題、すなわち、複数本の線材６を固定側支持部材２の配線基板４や可動側レンズホルダー３の端子板５に個別に半田付けして固定することによって構成されるレンズユニット１についての特有の問題は、上掲の特許文献１〜５によって開示されている技術によっては到底解決され得ない。
【００１３】
本発明は以上の問題に鑑みてなされたものであり、１本の線材の一端部や他端部を固定側支持部材の配線基板や可動側レンズホルダーの端子板に半田付けするときに、作業者の正面で同一の方向から半田付け作業を行うことのできるようにすることによって、半田付け作業の作業性や半田付け箇所の接合信頼性を改善し、併せて、個々の線材の位置精度の低下やその位置精度のばらつきが生じることを抑制することのできる光ピックアップを提供することを目的とする。
【課題を解決するための手段】
【００１４】
本発明に係る光ピックアップは、中継線が接続される配線基板を備えた固定側支持部材に一端部が固定された弾性を有する導電性線材の他端部が、対物レンズとコイルとそのコイルの端子板とを有する可動側レンズホルダーに固定されてなるレンズユニットを備え、上記線材を介し上記コイルに通電することにより上記レンズホルダーが線材の撓み変形を伴って変位駆動されるようになっている。そして、上記線材の一端部が上記配線基板に半田付けされることによって上記固定側支持部材に固定され、上記線材の他端部が上記端子板に半田付けされることによって上記可動側レンズホルダーに固定されていて、上記線材の一端部と上記配線基板との半田付け箇所と、上記線材の他端部と上記端子板との半田付け箇所とが、上記レンズユニットの同一の側面側に位置している。
【００１５】
この構成であれば、可動側レンズホルダーを固定側支持部材に線材で支持させる工程で、作業者は、半田付け箇所の正面からの作業で同じ作業姿勢を保って、線材の一端部を配線基板に半田付けして固定側支持部材に固定し、かつ、線材の他端部を端子板に半田付けして可動側レンズホルダーに固定することが可能になる。そのため、半田付け作業自体の作業性や接合信頼性が改善されるだけでなく、固定側支持部材と可動側レンズホルダーと線材とを位置決めしたまま動かさずに半田付けによる固定作業を行うことができるようになって線材の位置精度の低下や位置精度のばらつきが起こらなくなる。
【００１６】
本発明では、上記線材の一端部と上記配線基板との半田付け箇所と、上記線材の他端部と上記端子板との半田付け箇所とが、それらに共通する仮想平面上に位置していることが望ましい。これによれば、線材と配線基板との位置関係、並びに、線材と端子板との位置関係が適切に保たれて線材の位置精度が向上し、位置精度のばらつきも生じにくくなる。
【００１７】
本発明では、上記端子板が可動側レンズホルダーの側面に起立姿勢で配備され、上記配線基板が固定側支持部材の側面に起立姿勢で配備されていることが望ましい。また、上記線材と、その線材の一端部が半田付けされた上記配線基板と、その線材の他端部が半田付けされた上記端子板とが、上記レンズユニットの縦軸線を挟む両側に対称に配備されていることが望ましい。これらの各発明の光ピックアップは、図６で説明した従来の光ピックアップに採用されているレンズユニット１において、固定側支持部材２の後端面に配備されている配線基板４を、固定側支持部材２の左右の側面に配備される２片の配線基板に分割し、それら２片の配線基板に個々の線材の一端部を半田付けしたものが相当する。そのため、従来の光ピックアップにそれほど大きな変更を加えずに本発明に係る光ピックアップを構成することが可能になる。
【００１８】
本発明では、上記レンズユニットの縦軸線を挟む両側に対称に配備されている上記配線基板が、上記中継線としてのフレキシブル配線基板の端部に接続されることによってそのフレキシブル配線基板の端部が上記固定側支持部材の後端面に重ね合わされている、という構成を採用することが可能である。また、上記線材の一端部の半田付け箇所から後方へ延び出た突出部が、上記中継線としてのフレキシブル配線基板の端部に接続されることによってそのフレキシブル配線基板の端部が上記固定側支持部材の後端面に重ね合わされている、という構成を採用することも可能である。これらの各発明によれば、フレキシブル配線基板の端部が固定側支持部材の後端面に重ね合わされていることにより、そのフレキシブル配線基板の端部を補強する必要性が必ずしもない。なお、フレキシブル配線基板の端部を固定側支持部材の後端面に接着剤で接合しておいてもよい。
【００１９】
本発明に係る光ピックアップは、次の構成を採用することによっていっそう具体化される。すなわち、中継線が接続される配線基板を備えた固定側支持部材に一端部が固定された弾性を有する導電性線材の他端部が、対物レンズとコイルとそのコイルの端子板とを有する可動側レンズホルダーに固定されてなるレンズユニットを備え、上記線材を介し上記コイルに通電することにより上記レンズホルダーが線材の撓み変形を伴って変位駆動されるようになっている光ピックアップにおいて、平行に配備された複数本の上記線材のそれぞれの一端部が固定側支持部材の側面に起立姿勢で配備されている１片の上記配線基板に半田付けされることによって上記固定側支持部材に固定され、それらの上記線材のそれぞれの他端部が可動側レンズホルダーの側面に起立姿勢で配備されている１片の上記端子板に半田付けされることによって上記可動側レンズホルダーに固定され、複数本の上記線材と、それらの線材の一端部が半田付けされた上記配線基板と、それらの線材の他端部が半田付けされた上記端子板とが、上記レンズユニットの縦軸線を挟む両側に対称に配備されていると共に、上記レンズユニットの同一の側面側に位置している各線材の一端部又は他端部の上記配線基板又は上記端子板との各半田付け箇所が、上記レンズユニットの同一の側面側でそれらに共通する仮想平面上に位置しており、上記レンズユニットの縦軸線を挟む両側に対称に配備されている上記配線基板、又は、上記線材の一端部の半田付け箇所から後方へ延び出た突出部が、上記中継線としてのフレキシブル配線基板の端部に接続されることによってそのフレキシブル配線基板の端部が上記固定側支持部材の後端面に重ね合わされている、という構成を採用することによっていっそう具体化される。この発明の作用は後述する実施形態を参照して詳細に説明する。
【発明の効果】
【００２０】
本発明によれば、１本の線材の一端部や他端部を固定側支持部材の配線基板や可動側レンズホルダーの端子板に半田付けして固定するときの作業性や半田付け箇所の接合信頼性が向上し、併せて、個々の線材の位置精度の低下やその位置精度のばらつきが生じることを防ぐことができる。そのため、光ピックアップの書込み性能や読取り性能が向上し、ＤＶＤなどの光ディスクドライブによる画像品質などを向上させることが可能になる。
【発明を実施するための最良の形態】
【００２１】
図１は本発明に係る光ピックアップに採用されるレンズユニット１の概略斜視図、図２は可動側レンズホルダー３を固定側支持部材２に線材６で支持させる工程を示した説明図、図３は中継線７としてのフレキシブル配線基板７Ａの配備状態を示した要部の平面図、図４は同フレキシブル配線基板７Ａの他の配備状態を示した要部の平面図、図５は配線基板４Ａと端子板５との位置関係を示した説明図である。
【００２２】
図１のレンズユニット１において、図６で説明したレンズユニット１と異なる点は、図６の配線基板４を省略した代わりに、固定側支持部材２の左右の各側面のそれぞれに１片ずつの配線基板４Ａ，４Ａが起立姿勢で対称に配備されていて、それらの配線基板４Ａ，４Ａの各ランドに、左右対称に配備されている線材６，６のそれぞれの一端部６１，６１が半田付けされている点、空所２１が固定側支持部材２の左右の各側面のそれぞれに凹入状に形成されていて、その空所２１に線材６が挿通されている点、レンズユニット１の同一の側面側に位置している配線基板４Ａと端子板５の各ランドが同一の仮想平面上に位置していて、線材６の一端部６１と配線基板４Ａとの半田付け箇所、及び、線材６の他端部６２と端子板５との半田付け箇所とが、それらに共通の仮想平面Ｐ上に位置している点（図５参照）などである。なお、４１Ａは半田を示している。
【００２３】
その他の事項、たとえば、レンズユニット１の固定側支持部材２が、ディスクの半径方向に走行駆動される基台（不図示）に固定される点、可動側レンズホルダー３にフォーカス方向Ｆ又はトラッキング方向Ｔの付勢力を発揮させるための複数のコイル（不図示）などが装備され、上記端子板５のパターンにそれらのコイルの末端が接続されている点、などは図６で説明したところと同様である。
【００２４】
図１のレンズユニット１において、配線基板４Ａ，４Ａのパターンに電流を流すと、配線基板４Ａ，４Ａ、複数本の線材６…、端子板５，５を経て上記コイルに通電されてコイルがフォーカス方向Ｆ又はトラッキング方向Ｔの付勢力を発揮し、それによって可動側レンズホルダー５が対物レンズ３１と共に線材６…の変位を伴ってフォーカス方向Ｆ又はトラッキング方向Ｔに変位駆動される。
【００２５】
図１に仮想線で示したように、固定側支持部材２の後端面２２に重なり状にフレキシブル配線基板７Ａを配備しておくと、そのフレキシブル配線基板７Ａを中継線７として用いることが可能である。フレキシブル配線基板７Ａの電路と線材６との電気的接続の事例を図３又は図４に示してある。図３は、左右の配線基板４Ａ，４Ａをフレキシブル配線基板７Ａの端部に半田付けにより接続してそのフレキシブル配線基板７Ａの端部を固定側支持部材２の後端面２２に重ね合わせ、それによってフレキシブル配線基板７Ａの電路と線材６とを接続した事例である。図４は、線材６，６の一端部６１，６１の半田付け箇所から後方へ延び出た突出部６１ａ，６１ａをフレキシブル配線基板７Ａの端部に半田付けにより接続してそのフレキシブル配線基板７Ａの端部を固定側支持部材２の後端面２２に重ね合わせ、それによってフレキシブル配線基板７Ａの電路と線材６とを接続した事例である。なお、図３又は図４において、７１は半田を示している。
【００２６】
図２を参照して可動側レンズホルダー３を固定側支持部材２に線材６で支持させる工程を説明する。
【００２７】
この工程では、治具１００に固定側支持部材２と可動側レンズホルダー３とを位置決めして固定することにより、固定側支持部材２の配線基板４Ａとそれと同一側の可動側レンズホルダー３の端子板５とを同一の仮想平面上に位置決めした後、長い線材６を、治具１００の前後の支持孔１１０，１２０と固定側支持部材２に備わっている空所２１とに挿通して上記支持孔１１０，１２０により支持させ、その線材６を配線基板４１Ａと端子板５とに沿って平行又は略平行に配備した状態で、配線基板４Ａのランドに線材６の一端部６１を半田付けして固定することと、端子板５のランドに線材６の他端部６２を半田付けして固定することとを行う。この工程はそれぞれの線材６…について行われる。なお、固定側支持部材２の空所２１にはその後にゲル状の振動吸収剤が充填される。
【００２８】
この工程では、１本の線材６について見れば、線材６の一端部６１を線材６の長手方向に対して平行な配線基板４Ａのランドに半田付けし、線材６の他端部６２を線材６の長手方向に対して平行な端子板５のランドに半田付けするので、線材６の一端部６１を半田付けするときの作業方向ａ（図１参照）と他端部６２を半田付けするときの作業方向ｂ（図１参照）とが同一の方向になる。そのため、作業者は半田付け箇所の正面から半田付け作業を作業性よく容易に行うことができて半田付け箇所の接合信頼性が向上するだけでなく、治具１００を動かさずに同一の作業姿勢のまま半田付け箇所の正面から線材６の一端部６１や他端部６２を半田付けすることができる。したがって、線材６の位置精度の低下が起こらず、線材６が精度よく固定側支持部材２や可動側レンズホルダー３に固定されて位置精度のばらつきも生じにくくなる。
【００２９】
また、この実施形態に係る可動側レンズホルダー３を固定側支持部材２に線材６で支持させる工程を示した図２と、従来の光ピックアップに用いられているレンズユニット１の可動側レンズホルダー３を固定側支持部材２に線材６で支持させる工程を示した図７とを併せ見ると、図７の場合は、固定側支持部材２の後端面２２に重ね合わされている配線基板４のランドに直交する線材６を半田付けすることを余儀なくされるので、配線基板４と治具１００の支持孔１２０との間に半田付けのための比較的広い作業スペースＳ１を確保する必要があり、そのために、治具１００の両側の支持孔１１０，１２０の相互間隔を固定側支持部材２と可動側レンズホルダー３との間隔に比べて相当広くしておかなければならず、それに見合って線材６の必要長Ｌ１も長くなるのに対し、図２の場合は、固定側支持部材２の側面に配備されている配線基板４Ａのランドに平行な線材６を半田付けすればよいので、図７の作業スペースＳ１に相応するような広いスペースを確保する必要がなくなって固定側支持部材２と支持孔１２０との間隔Ｓが狭くて済む。その結果、治具１００の両側の支持孔１１０，１２０の相互間隔を図７の場合よりも狭くすることができ、それに見合って線材６の必要長Ｌも短くすることができ、それだけ線材６の歩留りが向上してそのコストを安く抑えることが可能になるという利点がある。
【図面の簡単な説明】
【００３０】
【図１】本発明に係る光ピックアップに採用されるレンズユニットの概略斜視図である。
【図２】可動側レンズホルダーを固定側支持部材に線材で支持させる工程を示した説明図である。
【図３】中継線としてのフレキシブル配線基板の配備状態を示した要部の平面図である。
【図４】同フレキシブル配線基板の他の配備状態を示した要部の平面図である。
【図５】配線基板と端子板との位置関係を示した説明図である。
【図６】従来の光ピックアップに採用されていたレンズユニットの概略斜視図である。
【図７】従来の光ピックアップに採用されていたレンズユニットの可動側レンズホルダーを固定側支持部材に線材で支持させる工程を示した説明図である。
【符号の説明】
【００３１】
１  レンズユニット
２  固定側支持部材
３  可動側レンズホルダー
４，４Ａ  配線基板
５  端子板
６  線材
７  中継線
７Ａ  中継線としてのフレキシブル配線基板
３１  対物レンズ
６１  線材の一端部
６２  線材の他端部
Ｃ−Ｃ  レンズユニットの縦軸線
Ｐ  仮想平面
【図１】
2005251296.tif 000003
【図２】
2005251296.tif 000004
【図３】
2005251296.tif 000005
【図４】
2005251296.tif 000006
【図５】
2005251296.tif 000007
【図６】
2005251296.tif 000008
【図７】
2005251296.tif 000009